(57)【要約】【課題】簡単な構造でディスプレイ装置の高さを容易に変更でき、堅固且つ安定した取付け状態を確保できる車両用ディスプレイ装置の取付け具を提供する。【解決手段】ヘッドレスト（Ｈ）の支柱（Ｐ）（Ｐ）の挿通孔（１３）（１４）を有する左右のジョイント部材（１１）（１２）を互いに左右方向で変位可能に連結し、両ジョイント部材（１１）（１２）の各背面に接続されたアーム（３１）（３２）の先端間のシャフト（３３）の中央に略垂直姿勢の吊持基台（５１）を支持し、吊持基台（５１）の先端に設けられた係止部材（５３）にディスプレイ装置（Ｍ）を吊持するように構成する。【選択図】        図２
2004149071.tif 000002
【特許請求の範囲】
【請求項１】
前部シ−トにおけるヘッドレストの左右一対の支柱がそれぞれ挿入される支柱挿通孔を有し、左右方向で互いに相対変位可能に連結された左右一対のジョイント部材からなる取付け基台部と、
前記両ジョイント部材に接続されてヘッドレストの後方に突出する左右一対のアームの各先端部間にシャフトが水平に架設されている略コ字形のアームブロックと、
前記シャフトに上向きにて支持された吊持基板の先端部に車両用ディスプレイ装置が係合・吊持される係止部材が付設されているディスプレイ装置用吊持部と、
を備えていることを特徴とする車両用ディスプレイ装置の取付け具。
【請求項２】
前記左右のアームの一部をそれぞれボルトで構成し、これらボルトを前記ジョイント部材及びシャフト側に対して装脱可能に構成した請求項１に記載の車両用ディスプレイ装置の取付け具。
【発明の詳細な説明】
【０００１】
【発明の属する技術分野】
本発明は、自動車の後部シートに座った人が利用する液晶テレビジョン受像機（単にテレビという）やデジタルビデオディスク（ＤＶＤ）装置等の車両用ディスプレイ装置を、運転シート等の前部シートにおけるヘッドレストの後側に保持させるための車両用ディスプレイ装置の取付け具に関する。
【０００２】
【従来の技術】
自動車の後部シートに座った人が利用するための車両用テレビ等は、前部シートである運転シートや助手シートのヘッドレストに専用の取付けバンドで固定したり、あるいは、実開平２−１２８１８５号公報や実開平２−１０６９４７号公報に示すように、ヘッドレストの支柱に装着されたホルダやアームを介して取り付ける構造が多い。
【０００３】
しかし、これらの技術は、車両用テレビの取り付け位置が固定的であるので、後部シ−トに座った大人の目線の高さに合った高さレベルに車両用テレビの取付け位置を設定すると、チャイルドシートを使うような幼児の目線の高さに合わず、汎用性に劣るという問題がある。
【０００４】
これらとは別に、従来、例えば特開昭５８−１７６９９８号公報等では、テレビの上下方向の取付け位置を変更できるようにした技術が開示されている。これは、図１０に示すように、棒状のステー（１０１）の基端部（１０１ａ）を左右一対の二つのジョイント（１０２）（１０３）を介して前部シート（Ｓ）におけるヘッドレスト（Ｈ）の支柱（Ｐ）（Ｐ）にねじ止めする一方、このステー（１０１）の先端に前部シート（Ｓ）の側方において立ち下がる垂直片部（１０１ｂ）を延設し、この垂直片部（１０１ｂ）にテレビ支持板固定用の複数の取付け部（１０４）を上下方向へ一定間隔で設け、後部シートに座った人の目線に合った高さにテレビ（Ｍ）が来るように取付け部（１０４）の位置を選択し、テレビ（Ｍ）を支持したテレビ支持板（１０５）を当該位置にて固定するようにしたものである。
【０００５】
【実開平２−１２８１８５号公報】
【実開平２−１０６９４７号公報】
【特開昭５８−１７６９９８号公報】
【０００６】
【発明が解決しょうとする課題】
ところが、前記特開昭５８−１７６９９８号公報等の取付け構造では、後部シートに座った人の目線に合った高さにテレビＭを配備できるものの、それを見込んでステー（１０１）の先端を長く延出させたり、延設された垂直片部（１０１ｂ）に複数の取付け部（１０４）等を設けておかなければならない。
【０００７】
また、ステー（１０１）の先端を前部シート（Ｓ）の側方、つまり左右方向へ延ばした垂直片部（１０１ｂ）側にテレビ（Ｍ）を保持させる構造であるから、テレビ（Ｍ）を取付けた際の荷重が左右方向へ並ぶ二つのジョイント（１０２）（１０３）に対して不均等に作用し、取付け状態には不安が残る。
【０００８】
本発明は、上記実情に鑑みてなされたものであり、複数の取付け部を設ける必要のない比較的簡素な構造で、ディスプレイ装置の取付け高さ位置を容易に変更でき、堅固且つ安定した取付け状態を確保できる車両用ディスプレイ装置の取付け具を提供することを目的とする。
【０００９】
【課題を解決するための手段】
「請求項１」に記載の車両用ディスプレイ装置の取付け具（Ａ）は、「前部シ−ト（Ｓ）におけるヘッドレスト（Ｈ）の左右一対の支柱（Ｐ）（Ｐ）がそれぞれ挿入される支柱挿通孔（１３）（１４）を有し、左右方向で互いに相対変位可能に連結された左右一対のジョイント部材（１１）（１２）からなる取付け基台部（１）と、
前記両ジョイント部材（１１）（１２）に接続されてヘッドレスト（Ｈ）の後方に突出する左右一対のアーム（３１）（３２）の各先端部間にシャフト（３３）が水平に架設されている略コ字形のアームブロック（２）と、
前記シャフト（３３）に上向き姿勢で支持された吊持基板（５１）の先端部（５１ｅ）に車両用ディスプレイ装置（Ｍ）が係合・吊持される係止部材（５３）が付設されているディスプレイ装置用吊持部（３）とを備えている」ことを特徴とする。
【００１０】
請求項１の車両用ディスプレイ装置の取付け具では、ヘッドレスト（Ｈ）の左右一対の支柱（Ｐ）（Ｐ）を取付け基台部（１）における左右一対のジョイント部材（１１）（１２）の各支柱挿通孔（１３）（１４）にそれぞれ挿通させれば、上記支柱（Ｐ）（Ｐ）に結合した状態で取り付けられる。この状態で左右のジョイント部材（１１）（１２）の背面に接続されたアームブロック（２）の先端側に位置するディスプレイ装置用吊持部（３）における係止部材（５３）にディスプレイ装置（Ｍ）を吊持すれば、ディスプレイ装置（Ｍ）がヘッドレスト（Ｈ）の後側に配備される。
【００１１】
ここで、上記左右一対のジョイント部材（１１）（１２）が左右方向（ヘッドレストＨの幅方向）で互いに変位可能に連結されているので、前記支柱（Ｐ）（Ｐ）の間隔が異なる場合でも、両ジョイント部材（１１）（１２）の左右方向の間隔を調整するだけで、支柱（Ｐ）（Ｐ）を支柱挿通孔（１３）（１４）に挿通させることが可能となり、汎用性が付与される。
【００１２】
また、ディスプレイ装置用吊持部（３）における吊持基台（５１）がアームブロック（２）の先端のシャフト（３３）に上向き姿勢で支持されているので、ヘッドレスト（Ｈ）の支柱（Ｐ）（Ｐ）を一旦外して、全体を上下方向で反転させてから再度取付ければ、前記吊持基台（５１）がシャフト（３３）に対して垂下状に設定され、このため、ディスプレイ装置（Ｍ）の取付け位置の変更を見込んで複数のディスプレイ取付け部を部材に加工するようなことも不要となる。つまり、前記反転装着するだけで係止部材（５３）の位置が低くなり、ディスプレイ装置（Ｍ）をヘッドレスト（Ｈ）の後部下方に位置させることができる。この結果、前部シート（Ｓ）に着席するのが子供であっても、その目線に応じた位置にディスプレイ装置（Ｍ）が配置される。
【００１３】
更に、前記左右一対のジョイント部材（１１）（１２）の背面に接続した略コ字形のアームブロック（２）の先端間にシャフト（３３）にディスプレイ装置用吊持部（３）が配備されるので、ディスプレイ装置（Ｍ）の取付け状態においての荷重が左右のジョイント部材（１１）（１２）に均等的に作用し、堅固で安定した取付け状態が保証される。
【００１４】
なお、前記シャフト（３３）をディスプレイ装置用吊持部（３）を回動可能にて配備する場合、ディスプレイ装置用吊持部（３）の倒れ角を調整することでディスプレイ装置（Ｍ）を見やすい角度に設定することができる。
【００１５】
「請求項２」に記載の車両用ディスプレイ装置の取付け具（Ａ）は、「前記左右のアーム（３１）（３２）の一部をそれぞれボルト（３４）（３８）で構成し、これらボルト（３４）（３８）を前記ジョイント部材（１１）（１２）及びアーム（３１）（３２）に対して装脱可能に構成されている」ものである。
【００１６】
請求項２の車両用ディスプレイ装置の取付け具（Ａ）では、ボルト（３４）（３８）を外して取り変えることができるので、例えばヘッドレスト（Ｈ）の後部の突出量が大きい場合であっても、その突出量を上回る長寸のボルト（３４）（３８）を使用することにより、ディスプレイ装置（Ｍ）の吊持位置をヘッドレスト（Ｈ）の後面（Ｈａ）よりも後方側に確実に設定することが可能となる。
【００１７】
【発明の実施の形態】
以下、本発明の実施形態を図面に基づいて説明する。図１は本発明の一実施形態にかかる車両用ディスプレイ装置の取付け具（Ａ）を示す一部破断平面図、図２は同じく取付け具の分解斜視図である。
【００１８】
図１及び図２において、車両用ディスプレイ装置の取付け具（Ａ）は、概ね前部シート（Ｓ）におけるヘッドレスト（図６及び図７）（Ｈ）の左右一対の支柱（Ｐ）（Ｐ）に装着される取付け基台部（１）と、この取付け基台部（１）に連結されるアームブロック（２）と、アームブロック（２）に支持されたディスプレイ装置用吊持部（３）とを備えている。ディスプレイ装置（Ｍ）は、これら取付け基台部（１）、アームブロック（２）及びディスプレイ装置用吊持部（３）により、前記ヘッドレスト（Ｈ）の左右一対の支柱（Ｐ）（Ｐ）に対して保持されるようになっている。
【００１９】
前記支柱（Ｐ）（Ｐ）は、図６及び図７に示すようにヘッドレスト（Ｈ）の下面に垂設されており、前部シート（Ｓ）の上面に形成されている左右の支柱挿入孔（図示せず）にそれぞれ挿脱可能に挿入されるようになっている。
【００２０】
前記取付け基台部（１）は、支柱（Ｐ）（Ｐ）に対応して配設された左右一対のジョイント部材（１１）（１２）からなり、それぞれ例えば金属材や樹脂等の剛性材から略扁平Ｌ形のブロック状に形成されている。
【００２１】
ジョイント部材（１１）の左端部及びジョイント部材（１２）の右端部には、前記支柱（Ｐ）（Ｐ）を挿通させるための支柱挿通孔（１３）（１４）がそれぞれ形成されている。また、ジョイント部材（１１）の左端部後面及びジョイント部材（１２）の右端部後面には、各支柱挿通孔（１３）（１４）まで貫通するねじ孔（１５）（１６）がそれぞれ形成されており、前記ねじ孔（１５）（１６）にそれぞれ螺入された止めねじ（１７）（１８）により支柱挿通孔（１３）（１４）にそれぞれ挿通された支柱（Ｐ）（Ｐ）を圧接することで各ジョイント部材（１１）（１２）が支柱（Ｐ）（Ｐ）に保持される。
【００２２】
前記ジョイント部材（１１）（１２）には対向端面には、嵌合用横孔部（２０）がそれぞれ形成されており、この嵌合用横孔部（２０）に嵌合用軸部（１９）がスライド可能に挿入されており、ジョイント部材（１１）（１２）の背面には、前記嵌合用横孔部（２０）（２０）まで貫通して止めねじ（２１）が螺入されるねじ孔（２２）が形成されている。そして、前記嵌合用軸部（１９）を両嵌合用横孔部（２０）（２０）に嵌入することにより、左右のジョイント部材（１１）（１２）が左右方向で互いに相対スライド変位可能に連結される。
【００２３】
支柱（Ｐ）（Ｐ）の間隔（Ｔ）に合わせて両ジョイント部材（１１）（１２）を相対変位させてから所定の位置で前記止めねじ（２１）を螺動して嵌合用軸部（１９）を圧接させることにより、両ジョイント部材（１１）（１２）の設定間隔が保持される。なお、左右のジョイント部材（１１）（１２）のスライド変位構造は、嵌合用軸部（１９）を嵌合用横孔部（２０）（２０）に嵌入させるものに限定されることなく適宜変更可能である。また、左右側のジョイント部材（１１）（１２）の背面には、後述する六角ボルトに螺合用の複数のねじ孔（２３）が所定間隔で形成されている。
【００２４】
ところで、前記支柱挿通孔（１３）（１４）に挿通される支柱（Ｐ）（Ｐ）の直径は車種によって様々であり、太径から小径の場合がある。そのような場合のために、図３及び図４に示すように、前記支柱挿通孔（１３）（１４）に嵌着されるフランジ（２５ｂ）付きの筒形スペーサ（２５）を用意しておくとよい。この筒形スペーサ（２５）には、周方向の一部が筒軸方向へ沿って切欠されたスリット部（２５ａ）が形成されており、前記止めねじ（１７）（１８）が螺入されることにより、縮径されて支柱（Ｐ）（Ｐ）を圧接するようになっている。
【００２５】
前記アームブロック（２）は、両ジョイント部材（１１）（１２）の各背面にそれぞれ接続されてヘッドレスト（Ｈ）の後面（図６及び図７）（Ｈａ）を超える位置まで突出する左右一対のアーム（３１）（３２）と、これらアーム（３１）（３２）の各先端間に水平に架設されたシャフト（３３）とからなり、平面形状が略コ字形に構成されている。
【００２６】
左側のアーム（３１）は、例えば六角ボルト（３４）と、六角ボルト（３４）に外嵌される蛇腹状チューブ（３５）と、ブラケット（３６）と、ブラケット固定ねじ（３７）とから構成されている。
【００２７】
六角ボルト（３４）は、その基端面に雄ねじ部（３４ａ）が突設され、先端面には、ねじ孔（３４ｂ）が形成されている。前記雄ねじ部（３４ａ）を前記ジョイント部材（１１）の背面のねじ孔（２３）に螺入することにより、六角ボルト（３４）がジョイント部材（１１）の背面に突出状態で挿脱可能に接続・固定されている。
【００２８】
ブラケット（３６）には、ねじ挿通孔（３６ａ）が形成されており、このねじ挿通孔（３６ａ）に挿通したブラケット固定ねじ（３７）を前記六角ボルト（３４）のねじ孔（３４ｂ）にねじ込むことにより、六角ボルト（３４）の先端にブラケット（３６）が固定される。
【００２９】
一方、右側のアーム（３２）も前記左側アーム（３１）と同様に、例えば六角ボルト（３８）と、六角ボルト（３８）に外嵌される蛇腹状チューブ（３９）と、ブラケット（４０）と、ブラケット固定ねじ（４１）とから構成されている。
【００３０】
六角ボルト（３８）の基端面には、雄ねじ部（３８ａ）が突設され、先端面にはねじ孔（３８ｂ）が形成されている。前記雄ねじ部（３８ａ）を前記ジョイント部材（１２）の背面に形成されているねじ孔（２４）の一つに螺入することにより、六角ボルト（３８）がジョイント部材（１２）の背面に突出状態に挿脱可能に接続・固定されている。
【００３１】
ブラケット（４０）には、ねじ挿通孔（４０ａ）が形成されており、このねじ挿通孔（４０ａ）に挿通したブラケット固定ねじ（４１）を前記六角ボルト（３８）のねじ孔（３８ｂ）にねじ込むことにより、六角ボルト（３８）の先端にブラケット（４０）が固定される。前記左右のブラケット（３６）（４０）間に前記シャフト（３３）が架設されている。なお、蛇腹状チューブ（３５）（３９）は、必須のものではないが、六角ボルト（３４）（３８）に外嵌すると、外観性が上がる。
【００３２】
アーム（３１）（３２）の一部としては、前記六角ボルト（３４）（３８）に限定されるものではなく、例えば中空ロッドを使用してもよい。その場合、中空ロッドを十分貫通する程度の長寸のブラケット固定ねじ（３７）（４１）を用意し、このブラケット固定ねじ（３７）（４１）を左右のブラケット（３６）（４０）及び中空ロッドを挿通して前記ジョイント部材（１１）（１２）の各ねじ孔（２３）（２４）にねじ込むことにより、アームブロック（２）を前記と同様にジョイント部材（１１）（１２）の背面に装脱可能に接続することができる。なお、前記アームブロック（２）は、アーム（３１）（３２）とシャフト（３３）とで構成されている。
【００３３】
前記ディスプレイ装置用吊持部（３）は、例えば吊持基台（５１）、吊持基台締め付け固定手段（５２）、ディスプレイ装置係止部材（５３）及び係止部材操作用つまみ（５４）等から構成されている。
【００３４】
前記吊持基台（５１）は、例えば縦長矩形状の金属板からなり、アームブロック（２）におけるシャフト（３３）の中央部に回動可能にて略垂直上向き姿勢に配設されるとともに、その下端部（５１ａ）がシャフト（３３）を略Ｃ字形に抱き持ちしてから折り返されており、その抱き持ち部（５１ｂ）がシャフト（３３）に対する枢支部として構成されている。
【００３５】
この吊持基台（５１）の折り返し部（５１ａ）とその対向部位（５１ｃ）とには、略中央部にねじ孔部（５１ｄ）が形成されている。また、吊持基台（５１）の先端部（図２、図５及び図６の状態の上端部）（５１ｅ）の背面側には、ディスプレイ装置（Ｍ）の背面（Ｍａ）に対するクッションプレート（５５）が配設される一方、吊持基台（５１）の先端部（５１ｅ）の後面側にも、クッションプレート（５６）が配設されており、両クッションプレート（５５）（５６）及び吊持基台（５１）の先端部（５１ｅ）には、略中央に位置して貫通孔（５７）が形成されている。
【００３６】
前記吊持基台締め付け固定手段（５２）は、例えば前記ねじ孔部（５１ｄ）と、このねじ孔部（５１ｄ）に螺入される締め付けねじ（５８）と、ワッシャ（５９）とからなり、ねじ孔部（５１ｄ）に締付け用ねじ（５８）を螺入して折り返し部（５１ａ）とその対向部位（５１ｃ）とを締め付けることにより、吊持基台（５１）が所定の力（車の走行時の外部振動によってディスプレイ装置（Ｍ）の取り付け位置や取り付け角度が変わらないいが、人がディスプレイ装置（Ｍ）を持って動かせば回動するような力）にてシャフト（３３）に回動可能に枢支されている。そしてこの締付け用ねじ（５８）を緩めたり、締め付けることで前記締め付け力を調整することができ、これにより或いは締付け用ねじ（５８）を締め付けたり緩めたりする操作で後述する取付状態のディスプレイ装置（Ｍ）の画面角度を調整可能になっている。なお、勿論、前記吊持基台（５１）にねじ孔部（５１ｄ）を形成する代わりにナットを使用してもよい。
【００３７】
前記ディスプレイ装置係止部材（５３）は、例えば前記貫通孔（５７）に挿通されるねじ体（５３ａ）と、このねじ体（５３ａ）の前端面に首部（５３ｂ）を介して突設された円盤状の係止片部（５３ｃ）からなり、この係止片部（５３ｃ）は、ディスプレイ装置（Ｍ）を吊持させる際に、図２及び図５に示すように、ディスプレイ装置（Ｍ）の背面（Ｍａ）に形成されている開口部が狭く、奥に行くほど広くなっている横断面Ｔ字形の係合溝部（Ｎ）に対して相対的嵌入操作で係合される。なお、前記係止部材（５３）の首部（５３ｂ）の長さは、ディスプレイ装置（Ｍ）にい形成された係合溝部（Ｎ）の開口部の背面壁（Ｍｂ）の厚みよりも僅かに長寸に設定されている。勿論、係止部材（５３）の形状等は、ディスプレイ装置（Ｍ）側の係合構造に応じて変更可能である。
【００３８】
前記係止部材操作用つまみ（５４）は、その軸心に、前記吊持基台（５１）の貫通孔（５７）に挿通された前記係止部材（５３）のねじ体（５３ａ）に螺合するねじ孔（５４ａ）が形成されており、締付けナットとして機能する。係止部材（５３）の係止片部（５３ｃ）にディスプレイ装置（Ｍ）における係合溝部（Ｎ）が係合した状態で、前記つまみ（５５）を螺動操作することにより、ディスプレイ装置（Ｍ）の背面壁（Ｍｂ）が前記係止片部（５３ｃ）と吊持基台（５１）の先端部（５１ｅ）との間に挟着されるようになっている。
【００３９】
次に、上記構成の車両用ディスプレイ装置の使用手順を説明する。まず、前記取付け基台部（１）における左右一対のジョイント部材（１１）（１２）を相対的にスライド操作して各支柱挿通孔（１３）（１４）の間隔がヘッドレスト（Ｈ）の左右一対の支柱（Ｐ）（Ｐ）の間隔（Ｔ）に合う位置に設定した後、ジョイント部材（１１）（１２）のねじ孔（２２）に螺合している止めねじ（２１）をねじ込んでジョイント部材（１１）（１２）の嵌合用軸部（１９）を圧接することにより、両ジョイント部材（１１）（１２）を連結固定する。
【００４０】
このように、一対のジョイント部材（１１）（１２）をスライド可能に連結させる構成であるから、ヘッドレスト（Ｈ）の左右一対の支柱（Ｐ）（Ｐ）間の間隔（Ｔ）が異なるものであっても容易に対応可能である。
【００４１】
一方、アームブロック（２）における左右の六角ボルト（３４）（３８）の各雄ねじ部（３４ａ）（３８ａ）をそれぞれ図５に示すようにジョイント部材（１１）（１２）のねじ孔（２３）（２４）にねじ込んで両六角ボルト（３４）（３８）を接続・固定する。勿論、ねじ孔（２３）（２４）については、アームブロック（２）の幅寸法、具体的には、シャフト（３３）を保持するブラケット（３６）（４０）の各ねじ挿通孔（３６ａ）（４０ａ）間の間隔Ｄに基づいて選択されたものが使用される。
【００４２】
また、六角ボルト（３４）（３８）に合わせて形成された蛇腹状チューブ（３５）（３９）をそれぞれ六角ボルト（３４）（３８）に外嵌し、さらに、シャフト（３３）が架設されたブラケット（３６）（４０）を前記六角ボルト（３４）（３８）の先端面に固定ねじ（３７）（４１）によりねじ止め固定する。これにより、アームブロック（２）が左右一対のジョイント部材（１１）（１２）の背面に突出状に接続されて、前記シャフト（３３）の配設位置、具体的には、ディスプレイ装置用吊持部（３）がヘッドレスト（Ｈ）の後面（Ｈａ）よりも後方位置に設定される。この結果、ディスプレイ装置（Ｍ）の装着がヘッドレスト（Ｈ）の後部形状等に関係なく行える。
【００４３】
アームブロック（２）は、アーム（３１）（３２）とシャフト（３３）とが一体化されたものであってもよいが、この例のように、アーム（３１）（３２）におけるボルト（３４）（３８）とシャフト（３３）とが別体であると、アーム（３１）（３２）に対するシャフト（３３）の取り付け長さを調整することで、ヘッドレスト（Ｈ）の左右一対の支柱（Ｐ）（Ｐ）の間隔（Ｔ）に合うようにねじ孔（２４）の選択を行う場合にその選択がより簡単になる。換言すれば、ヘッドレスト（Ｈ）の左右一対の支柱（Ｐ）（Ｐ）の間隔（Ｔ）に合うようにねじ孔（２４）の選択をした場合、シャフト（３３）長さが固定されておればブラケット固定ねじ（３７）（４１）の取り付けは困難になるが、シャフト（３３）長さが可変であればブラケット固定ねじ（３７）（４１）の間隔にあわせてシャフト（３３）長さを簡単に調整できる。
【００４４】
この状態で、一旦、前部シート（Ｓ）側の挿入孔から抜いたヘッドレスト（Ｈ）の支柱（Ｐ）（Ｐ）を前記ジョイント部材（１１）（１２）の各支柱挿通孔（１３）（１４）に挿通すると共に支柱（Ｐ）（Ｐ）を前部シート（Ｓ）側の挿入孔に挿入する。そして、左右のジョイント部材（１１）（１２）におけるねじ孔（１５）（１６）に螺入された止めねじ（１７）（１８）をねじ込んで支柱（Ｐ）（Ｐ）を圧接することにより、ジョイント部材（１１）（１２）が支柱（Ｐ）（Ｐ）に固定され、この結果、取付け具（Ａ）が支柱（Ｐ）（Ｐ）に堅固に保持される。
【００４５】
次いで、ディスプレイ装置（Ｍ）を取付け具（Ａ）に取り付けるのであるが、まず、ディスプレイ装置（Ｍ）の背面（Ｍａ）の係合溝部（Ｎ）に図６に示すように前記係止部材（５３）における係止片部（５３ｃ）を挿入係合させる。この状態で、係止部材（５３）のねじ体（５３ａ）に螺合している操作つまみ（５４）を螺動操作することにより、ディスプレイ装置（Ｍ）の背面壁（Ｍｂ）が前記吊持部材（５３）の係止片部（５３ｃ）と吊持基台（５１）の先端部（５１ｅ）との間に挟着され、ディスプレイ装置（Ｍ）ががたつきなく取付けられる。
【００４６】
この取付け状態では、左右のジョイント部材（１１）（１２）からそれぞれアーム（３１）（３２）突設され、その先端に架設されたシャフト（３３）上にディスプレイ装置（Ｍ）が支持されているので、荷重がジョイント部材（１１）（１２）に均等にかかり、支柱（Ｐ）（Ｐ）に無理な応力が付勢されるおそれもない。
【００４７】
また、この取付け状態において、ディスプレイ装置（Ｍ）の画面角度を調整したい場合には、前記吊持基台（５１）のシャフト（３３）に対するねじ（５８）による締め付け力を緩めて該吊持基台（５１）をシャフト（３３）を中心にして前後方向へ傾動変位させ、上向きもしくは下向き加減の好ましい画面傾き角度を選んでからねじ（５８）を再度締め付ければよい。勿論、前述のように締め付け力を加減しておき、ディスプレイ装置（Ｍ）を手で動かすことで画面傾き角度を変える事ができるようにしておいてもよい。
【００４８】
吊持基台（５１）が図２、図５及び図６に示すように、シャフト（３３）上に起立してあると、ディスプレイ装置（Ｍ）の位置が前部シート（Ｓ）のヘッドレスト（Ｈ）と略同じ高さレベルとなり、図８に示すように、後部シート（Ｓｌ）に着席した人が大人のように、目線が高い人に好ましい高さの取付け位置となる。
【００４９】
後部シート（Ｓｌ）にチャイルドシートを使うような幼児が着席する場合には、ディスプレイ装置用吊持部（３）を前記ブラケット（３６）（４０）と共に、アーム（３１）（３２）から外すか、あるいは、アームブロック（２）と共に支柱（Ｐ）（Ｐ）から外し、全体を上下方向で反転させてから、図７に示すように支柱（Ｐ）（Ｐ）に保持させれば、吊持基台（５１）がシャフト（３３）下側に垂下された状態になる。この状態で再度ディスプレイ装置（Ｍ）を装着することで、図９に示すように、ディスプレイ装置（Ｍ）の位置がヘッドレスト（Ｈ）よりも下方になり、後部シート（Ｓｌ）に着席した人が幼児等のように、目線が低い人に好ましい高さの取付け位置となる。
【００５０】
【発明の効果】
以上のように、請求項１の発明によれば、ヘッドレストにおける左右一対の支柱の挿通孔をそれぞれ有する左右一対のジョイント部材を左右方向で互いに変位可能に連結した構成であるので、前記支柱の間隔が異なる場合でも、両ジョイント部材の間隔調整で容易に対応でき、また、両ジョイント部材の背面に連結されたアームブロックの先端側にディスプレイ装置用吊持基台を略上向き姿勢に支持させてあるので、ディスプレイ装置の取付け高さ位置を変えるための複数の取付け部を設けなくても、ヘッドレストの支柱を外して取付け具全体を上下方向で反転状態にして装着するだけで、ディスプレイ装置の取付け高さ位置を変えることができる。さらに、前記左右一対のジョイント部材の背面に対してアームブロックを介してディスプレイ装置用吊持部を配備したので、ディスプレイ装置の取付け状態においての荷重が左右のジョイント部材に均等的に作用し、堅固で安定した取付け状態を確保できる。
【００５１】
請求項２の発明によれば、左右のアームの一部をそれぞれボルトで構成し、これらボルトを両ジョイント部材及びシャフト側に対して装脱可能に構成したので、例えばヘッドレストの後部の突出量が大きい場合（逆に小さい場合）であっても、長寸ボルトに変えることにより、ディスプレイ装置の吊持位置をヘッドレストの後面よりも後方側に確実に設定できる。
【図面の簡単な説明】
【図１】本発明の一実施形態におけるディスプレイ装置の取付け具を示す一部破断平面図
【図２】同じくディスプレイ装置の取付け具の分解斜視図
【図３】支柱挿通孔に嵌着される筒形スペーサ等を示す斜視図
【図４】同じく筒形スペーサ使用時の断面図
【図５】同じくディスプレイ装置の取付け具の一部組み立て状態を示す斜視図
【図６】図１のＹ−Ｙ線に沿った断面図
【図７】同じくディスプレイ装置の取付け具を上下で反転させた状態の断面図
【図８】ディスプレイ装置を高いレベル位置に取付けた状態の説明図
【図９】ディスプレイ装置を低いレベル位置に取付けた状態の説明図
【図１０】従来のディスプレイ装置の取付け具の概略構成図
【符号の説明】
（１）    取付け基台部
（２）    アームブロック
（３）    ディスプレイ装置吊持部
（１１）（１２）  ジョイント部材
（１３）（１４）  支柱挿通孔
（３１）（３２）  アーム
（３３）  シャフト
（３４）（３８）      ボルト
（５１）  吊持基台
（５１ｂ）    吊持基台の基端側枢支部
（５１ｅ）    吊持基台の先端部
（５３）  係止部材
（Ｈ）    ヘッドレスト
（Ｍ）    ディスプレイ装置
（Ｐ）（Ｐ）  支柱
（Ｓ）    前部シート
【図１】
2004149071.tif 000003
【図２】
2004149071.tif 000004
【図３】
2004149071.tif 000005
【図４】
2004149071.tif 000006
【図５】
2004149071.tif 000007
【図６】
2004149071.tif 000008
【図７】
2004149071.tif 000009
【図８】
2004149071.tif 000010
【図９】
2004149071.tif 000011
【図１０】
2004149071.tif 000012